(57)【要約】【目的】本発明は、基礎杭頭のコンクリート余盛部を除去するための懸吊工具及びその懸吊工具を用いた基礎杭頭の余盛部除去方法に関し、コンクリート余盛部を分離した後に安全且つ容易に懸吊して除去する。【構成】懸吊具本体（１）の下半部に横向きあけた挿通孔（２）に頭付き懸吊棒（３）を挿通し、且つ懸吊具本体の上部に挿通孔と直交してあけた軸孔（５）に取付軸（６）を挿通してロープ取付用シャックル（４）を取付ける構成と、また、地表面から突出しているコンクリート余盛部下端部位の外周面に直径方向に向かう横孔（１７）をあけてセリア（１８）を打ち込んだ後、当該余盛部の下端部をエアーブレーカ（７）等を用いて基礎杭（１３）の上端部位から分離し、その余盛部に複数本の装入孔（１６）に懸吊棒（３）を装入し、且つ懸吊具本体の上部の軸孔（５）に取付けたシャックル（４）にワイヤロープ（９）を取付け、吊り上げ機で吊り上げて杭頭から外部に移動するようにした構成。【選択図】　　　　図１２
2004132022.tif 000002
【特許請求の範囲】
【請求項１】
懸吊具本体（１）の下部に横向きの挿通孔（２）をあけ、これに頭付き懸吊棒（３）を挿通し、且つ懸吊具本体（１）の上部に当該挿通孔と直交する軸孔（５）をあけ、これに取付軸（６）を挿通し、前記懸吊具本体の上部横幅（Ｗ）を二股片（４１）で挟んだワイヤロープ取付用シャックル（４）を取付けたことを特徴とする基礎杭頭の余盛部除去用懸吊工具。
【請求項２】
地表面（１５′）から突出している複数本の鉄筋（１１）を埋設している基礎杭上端部（１３１）とのコンクリート余盛部（１４）の下端部に削孔機（８）によって外周面から直径方向に向かって複数本の横孔（１７）をあけてセリア（１８）を打ち込んだ後、当該余盛部の下端部位（４１）をエアーブレーカ（７）等を用いて基礎杭（１３）の上端部位（１３′）から分離し、その余盛部（１４）の上半部に削孔した複数本の装入孔（１６）に懸吊具本体（１）の挿通孔（２）に挿通してある懸吊棒（３）を装入し、且つ懸吊具本体（１）の上部の軸孔（５）に挿通した取付軸（６）に取り付けたシャックル（４）にワイヤロープ（９）を取付けてクレーン等の吊り上げ機によって吊り上げて鉄筋群の外部に移動することを特徴とする請求項１記載の懸吊工具を用いた基礎杭頭の余盛部除去方法。
【発明の詳細な説明】
【０００１】
【発明の属する技術分野】
本発明は、基礎杭の杭頭のコンクリート余盛部を除去するための懸吊具及びその懸吊具を用いた基礎杭頭の余盛部除去方法に関し、基礎杭の頭部位置において、コンクリート余盛部を分離した後に安全且つ容易に懸吊して除去できるようにしたことを目的とする。
【０００２】
【従来の技術】
一般に、基礎杭の杭頭は複数本の縦鉄筋を円形に配設し、縦坑に生コンクリートを充填し、時間の経過によって固化した基礎杭の頭部のコンクリート余盛部に横向きの貫通孔をあけ、エアーブレーカ等の破砕する機械によって、当該基礎杭の上端部位から分離した後、コンクリート余盛部の孔に複数本の鋼棒を装入し、且つ装入孔の外部に突出している鋼棒の両端部にワイヤロープを掛けて吊り上げをしていた。
【０００３】
【発明が解決しようとする課題】
ところが、コンクリート余盛部にあけた装入孔に鋼棒を装入してその両端部にワイヤロープを掛ける作業は、そのロープ掛け作業の際に鋼棒からロープがずれて外れるおそれがあった。そのため、ロープが外れないように吊り上げ作業に当たって２人一組でロープ掛け作業に従事しているのが現状であった。
【０００４】
そして、コンクリート余盛部の装入孔に装入した鋼棒は、当該余盛部の除去作業が終了した際、これを引き抜いて次のコンクリート余盛部の装入孔に装入するために作業員が複数本の鋼棒を手に持って運ぶ必要があった。すなわち、ワイヤーロープは吊り上げ機械に連結しているので人手で運ぶ必要はないが、鋼棒はワイヤロープないし吊り上げ機械に連結していないので、次のコンクリート余盛部除去の作業個所まで人手で運搬しなければならなかった。
【０００５】
【課題を解決するための手段】
そこで、本発明は従来の課題を解決し、且つ発明の目的達成するために提供するものである。本発明の第１は、基礎杭の杭頭のコンクリート余盛部を除去するための懸吊工具において、懸吊具本体の下部に横向きの挿通孔をあけ、これに頭付き懸吊棒を挿通し、且つ懸吊具本体の上部に当該挿通孔と直交する軸孔をあけ、これに取付軸を挿通し、前記懸吊具本体の上部横幅を二股片で挟んだワイヤロープ取付用シャックル（＝シャコ）を取付けたものである。
【０００６】
本発明の第２は、第１の発明に係る懸吊工具を用いた基礎杭頭の余盛部除去方法において、地表面から突出している複数本の鉄筋を埋設している基礎杭上端部とのコンクリート余盛部の下端部に削孔機によって外周面から直径方向に向かって複数本の横孔をあけてセリアを打ち込んだ後、当該余盛部の下端部位をエアーブレーカ等を用いて基礎杭の上端部位から分離し、その余盛部の上半部に削孔した複数本の装入孔に懸吊具本体の挿通孔に挿通してある懸吊棒を装入し、且つ懸吊具本体の上部の軸孔に挿通した取付軸に取り付けたシャックルにワイヤロープを取付けてクレーン等の吊り上げ機によって吊り上げて鉄筋群の外部に移動するようにしたものである。
【０００７】
【発明の実施形態】
本発明に係る基礎杭頭のコンクリート余盛部の除去に関する実施形態を図面に即して説明する。
【０００８】
（１）　基礎杭用の掘削縦抗１０内に複数本の縦鉄筋１１を円形に配設し、且つ各縦鉄筋の余盛部に相当する部位１１′に剥離用ビニールテープ１２を巻付けた後に、掘削縦抗１０内に生コンクリートを流し込んで充填することにより、基礎杭１３を打設する。
【０００９】
（２）　コンクリートが固化した基礎杭１３の頭部近傍において、本来の地面１５を掘り下げて基礎杭１３の上端部（＝天端）１３′及びその上のコンクリート余盛部位を掘削した地表１５′に露出させる。
【００１０】
（３）　基礎杭の上端部１３′の上にある余盛部位の外周をエアーブレーカ７等で破砕してコンクリートに円形に埋設している複数本の縦鉄筋１１を表面に完全に露出させる。
【００１１】
（４）　基礎杭の上端部１３′と余盛部１４の下端部１４′に削孔機８で複数の横孔１７をあけ、その孔にセリアＳを打ち込む。その後、エアーブレーカ７等で前記基礎杭の上端部１３′と余盛部の下端部１４′の境目を切断してその両者を分離する。
【００１２】
（５）　掘り下げた地表１５′に露出させた基礎杭の上端部１３′におけるコンクリート余盛部１４の外周面に削孔機８を使って直径方向に向かって３本又は４本の懸吊棒装入孔１６をあける。
【００１３】
（６）基礎杭１３の上端部１３′とコンクリート余盛部１４の下端部１４′をエアーブレーカ７等の破砕する機械によって両者１３・１４を分離する。また、その各鉄筋の上部１１′に巻き付けられている剥離用ビニールテープ１２を取り除き、各鉄筋とその円形囲繞された状態で中に残っている余盛部１４を剥離した状態にする。
【００１４】
（７）　前記のコンクリート余盛部１４の外周面に直径方向に向かってあけた３本又４本の装入孔１６に懸吊棒３を懸吊具本体１の内面に接触する程度の位置まで装入する。なお、当該懸吊棒３は大径頭部３１によって抜け止めになっている。
【００１５】
（８）　懸吊具本体１は、あらかじめ上部の軸孔３に挿通した取付軸６とこれに取り付けたシャックル４を介してクレーン等の吊り上げ機械（図示省略）のワイヤロープ９に連結されているので、この懸吊具本体１の懸吊棒３をコンクリート余盛部１４の装入孔１６に装入して吊り上げる。
【００１６】
（９）　コンクリート余盛部１４は複数本の縦鉄筋１１で円形に囲繞された状態の中を上昇し、その鉄筋上端から抜き出して外部に除去する。
【００１７】
【実施例】
以下、本発明の実施例を説明する。１は角ブロック状の立法体又は縦長の凸状体を成す金属製の懸吊具本体であり、当該本体の横幅Ｗは図１〜図３にあっては、基礎杭１３の隣り合う縦鉄筋の間に入る横幅（及びシャックル４を取り付ける横幅）Ｗ＝８０ｍｍ、厚さＤ＝５５ｍｍ、高さＨ＝２０５ｍｍとする。また、図４〜図６にあっては、隣り合う縦鉄筋の間に入る凸状体の広幅部Ｗ′＝１３０ｍｍ、厚さＤ＝５５ｍｍ、高さＨ＝２０５ｍｍとし、そのうち、シャックル４を取り付ける横幅Ｗ＝８０ｍｍの高さＨ′を８５ｍｍに設定してある。
【００１８】
２は懸吊具本体１の下部にあけた懸吊棒の挿通孔、３はその挿通孔に挿通する懸吊棒であり、その一端に棒径より大径の頭部３１が一体又は別部材で成形されている。当該の頭部が別部材の場合は、ナット式３１′又は嵌め込み式３１″等がある。前記懸吊棒の材質は、ＪＩＳ規格の強靱鋼の範疇に属するＳＣＭ合金鋼を焼き入れして用いる。なお、図示例は懸吊棒３の直径Ｒ＝３２ｍｍ、頭部３１の直径Ｒ′＝３２ｍｍ、長さＬ＝４１０〜４７０ｍｍ程度に設定してある。
【００１９】
４はワイヤロープ取付用シャックルであり、Ｕ字形の二股片４１・４１を懸吊具本体上部１１の横幅Ｗの左右側面を挟み、当該懸吊具本体の軸孔５に取付軸６で回動できるように取り付けてある。
【００２０】
前記の懸吊具本体１の上部にあけた軸孔５は、懸吊棒３の挿通孔２と直交方向にあけてある。
【００２１】
７はエアーブレーカ等の破砕と切断機能を有する機械、８は削孔機である。そして、地面１５を掘り下げた地表に１５′に露出した杭頭の余盛部位の外周を鉄筋１１が完全に剥き出るまでコンクリートをエアーブレーカー７等で破砕し、余盛部位外周の破砕が終了した後は、基礎杭１３の上端部１３′と余盛部１４の下端部１４′に削孔機８で横孔１７をあけてセリアＳを打ち込み、その後、再度エアーブレーカ７で基礎杭の上端部１３′と余盛部の下端部１４′を破砕切断して両者１３・１４を分離した後、削孔機８によって、懸吊棒３の装入用孔１６を削孔する構成になっている。
【００２２】
【発明の効果】
本発明は上記の構成であるから次のような効果がある。すなわち、コンクリート余盛部にあけた装入孔に懸吊棒を装入して押し込むだけで済み、ワイヤロープ掛け操作を必要としない。これによって、ロープ掛けを必要とする場合に起こる手指を挟む危険が取り除かれる。
【００２３】
また、前記装入孔は３本又は４本の懸吊棒がある程度の深さで装入できればよいので、コンクリート余盛部の直径方向に貫通しなくてもよいから、その貫通しない分の削孔作業の手間が省略される。
【００２４】
そして、懸吊棒は懸吊具本体の挿通孔に抜き差しできるように挿通してあるため、破損により当該懸吊棒だけを容易に交換することができる。
【００２５】
さらに、懸吊棒にワイヤロープ掛けを必要としないので吊り上げ時に１人の作業員でも安全に行うことができる。
【００２６】
その上、コンクリート余盛部の吊り上げ除去後において、その懸吊棒は懸吊具本体と共に吊り上げ機械に連結している状態にあることにより、当該懸吊棒を抜くだけでよく、作業員が一々次のコンクリート余盛部の除去位置まで持ち運ぶ必要がなくなる。
【図面の簡単な説明】
【図１】本発明に係る基礎杭頭の余盛部除去用懸吊工具の正面図である。
【図２】図１の側面図である。
【図３】図１の平面図である。
【図４】図１の他の実施例を示す正面図である。
【図５】図４の側面図である。
【図６】図４の平面図である。
【図７】懸吊棒頭部の他の側面図である。
【図８】懸吊棒頭部のさらに別の側面図である。
【図９】コンクリート余盛部の下端部位に削孔機でセリア用横孔をあけてセリアを打ち込み、且つ削岩機で余盛部の下端部位を基礎杭の上端部位から切断分離している状態の斜視図である。
【図１０】図１０〜図１５はコンクリート余盛部の除去作業例を示す図であり、図１０は余盛部に懸吊棒を装入するための削孔状態を示す斜視図である。
【図１１】コンクリート余盛部の装入孔に懸吊棒を装入した状態の斜視図である。
【図１２】コンクリート余盛部にあけた複数本の装入孔に懸吊棒を装入した状態の正面図である。
【図１３】図１２の懸吊棒装入部位を示す横断面図である。
【図１４】コンクリート余盛部に装着した懸吊具本体にワイヤロープを掛けて吊り上げ機械でコンクリート余盛部を吊り上げ始めた状態の斜視図である。
【図１５】コンクリート余盛部に装着した懸吊具本体にワイヤロープを掛けにより吊り上げて円形の鉄筋群から抜き出した状態の斜視図である。
【符号の説明】
１　　懸吊具本体
２　　懸吊棒用装入孔
３　　懸吊棒
４　　シャックル
５　　シャックル取付用軸孔
６　　シャックルの取付軸
７　　エアーブレーカ
８　　削孔機
９　　ワイヤロープ
１０　　杭孔
１１　　縦鉄筋
１２　　剥離用ビニールテープ
１３　　基礎杭
１４　　余盛部
１５　　地面
１６　　懸吊棒の装入孔
１７　　セリア打込み用横孔
１８　　セリア
【図１】
2004132022.tif 000003
【図２】
2004132022.tif 000004
【図３】
2004132022.tif 000005
【図４】
2004132022.tif 000006
【図５】
2004132022.tif 000007
【図６】
2004132022.tif 000008
【図７】
2004132022.tif 000009
【図８】
2004132022.tif 000010
【図９】
2004132022.tif 000011
【図１０】
2004132022.tif 000012
【図１１】
2004132022.tif 000013
【図１２】
2004132022.tif 000014
【図１３】
2004132022.tif 000015
【図１４】
2004132022.tif 000016
【図１５】
2004132022.tif 000017